(57)【特許請求の範囲】
【請求項１】
データ記録媒体の本体の搬送方向に沿って互いに所定の間隔を保ってそれぞれ異なるデータが記録されている、そのデータ記録媒体の本体を管理するための複数個のデータ系列を有するデータ記録媒体であって、
前記複数個のデータ系列の内の２つのデータ系列間を読取ったときのデータ系列は、それら複数のデータ系列のデータ、及び他の２つのデータ系列の間を読取ったときのデータと異なるものであることを特徴とするデータ記録媒体。
【請求項２】
データ記録媒体の本体の搬送方向に沿って互いに所定の間隔を保ってそれぞれ異なるデータが記録されている、そのデータ記録媒体の本体を管理するための複数個のデータ系列と、それらデータ系列を読取るための検出器との位置関係を決定するデータ位置決定手段を備えたデータ記録媒体処理装置であって、
前記検出器が前記複数個の各データ系列にそれぞれ位置したときに読取られたデータ、及びそれら複数個のデータ系列のうち、２つのデータ系列間にまたがって位置したときに読取られたデータを予め記憶してある記憶手段と、
前記検出器を介して読取られたデータと前記記憶手段に記憶されているデータとを比較する比較手段と、
比較された両データの一致状態により、前記検出器の位置は、所定の目的とするデータ系列、又はその所定の目的とするデータ系列及びその目的とするデータ系列に隣接する中間に位置していると決定する決定制御手段と、
を有することを特徴とするデータ記録媒体処理装置。
【発明の詳細な説明】
【０００１】
【発明の属する技術分野】
本発明は、データ記録媒体、及びそのデータ記録媒体に記録されているデータ系列と磁気ヘッド等の読取器との位置関係を効果的に決定することのできるデータ記録媒体処理装置に関する。
【０００２】
【従来の技術】
従来、例えばカード状のデータ記録媒体には、データ記録媒体を管理するためのデータ系列をそのデータ記録媒体の本体（以下、データ記録媒体を含めて「データ記録媒体」という）に設けることが提案されている。このデータ系列は、カード処理機におけるカードの搬送方向に沿って、磁気ヘッドやホール素子等の検出器で読取り可能な磁気的なデータとして記録されていたり、又は、光学的に読取り可能な光学バーコードとして印刷によって記録されている。
【０００３】
このように記録されているデータ系列は、データ記録媒体が処理機に挿入されたときに、検出器を介して、又はバーコードスキャナを介して読取られてデータ記録媒体の真偽の判定用等の管理に用いられている。
【０００４】
【発明が解決しようとする課題】
ところで、近年、データ記録媒体の管理の質向上のために、管理用のデータ系列を複数列設けることが考えられるが、この場合、複数のデータ系列をどのような関係を保って設けるとデータ記録媒体の管理の質向上を図ることができるかという課題がある。また、このような複数のデータ系列とした場合、記録されているデータ系列を磁気ヘッド等の検出器で読取るときは、データ系列と検出器との位置関係を正確に把握する必要がある。
【０００５】
すなわち、検出器は、各カード処理機毎に多少取付位置が異なっているとともに、また、データ記録媒体に記録されているデータ系列位置もデータ記録媒体毎に多少異なっているので、データ読取に当たっては、両者の位置関係を正確に把握しておかないと正確なデータ読取ができないという問題点がある。
【０００６】
そこで、本発明は、上記問題点を解決するためになされたものであって、その目的は、データ記録媒体管理の質の向上を図ることができるデータ記録媒体を提供するとともに、磁気ヘッド等の検出器位置とデータ系列位置との関係を正確に把握することのできるデータ記録媒体処理装置を提供することにある。
【０００７】
【課題を解決するための手段】
本発明の請求項１に係るデータ記録媒体は、上記目的を達成するために、データ記録媒体の搬送方向に沿って互いに所定の間隔を保ってそれぞれ異なるデータが記録されている、そのデータ記録媒体を管理するための複数個のデータ系列を有するデータ記録媒体であって、前記複数個のデータ系列の内の２つのデータ系列間を読取ったときのデータ系列は、それら複数のデータ系列のデータ、及び他のデータ系列間を読取ったときのデータと異なるものであることを特徴としている。
【０００８】
本発明の請求項２に係るデータ記録媒体処理装置は、上記目的を達成するために、データ記録媒体の搬送方向に沿って互いに所定の間隔を保ってそれぞれ異なるデータが記録されている、そのデータ記録媒体を管理するための複数個のデータ系列と、それらデータ系列を読取るための検出器との位置関係を決定するデータ位置決定手段を備えたデータ記録媒体処理装置であって、前記検出器が前記複数個の各データ系列にそれぞれ位置したときに読取られたデータ、及びそれら複数個のデータ系列のうち、２つのデータ系列間にまたがって位置したときに読取られたデータを予め記憶してある記憶手段と、前記検出器を介して読取られたデータと前記記憶手段に記憶されているデータとを比較する比較手段と、比較された両データの一致状態により、前記検出器の位置は、所定の目的とするデータ系列、又はその所定の目的とするデータ系列及びその目的とするデータ系列に隣接する中間に位置していると決定する決定制御手段とを有することを特徴としている。
【０００９】
【発明の実施の形態】
以下、本発明の実施の形態を図面に基づいて説明する。図１は、本発明の一実施の形態に係るデータ記録媒体処理装置の概略構成図である。
【００１０】
データ記録媒体Ｃには、このデータ記録媒体Ｃが図示しないカード処理機に挿入されたときの搬送方向（図示の矢印参照）に沿ってデータ記録媒体を管理するためのデータ系列が予め記録されている。
【００１１】
このデータ系列Ｄは、データ記録媒体Ｃの搬送方向に沿って、かつ、互いに所定間隔を保ってそれぞれ異なる磁気データが記録されている複数個（図示の例では４個）のデータ系列Ｄ１  〜Ｄ４  から形成されている。なお、このデータ系列Ｄについては、後に詳述する。
【００１２】
磁気ヘッドあるいはホール素子等からなる検出器Ｈは、カード処理機に組込まれているもので、カード処理機に挿入されたデータ記録媒体Ｃのデータ系列Ｄを読取ることができるように構成されている。なお、データ系列Ｄのうち、どの系列のデータを読取るかは、予め、データ記録媒体Ｃの管理の方式によって決められている。例えば、その管理の方式によって、検出器Ｈは、データ系列Ｄ１  を読取れる位置に設定されていたり、あるいはデータ系列Ｄ４  を読取れる位置に設定されている。また、場合によっては、検出器Ｈを複数個設けて複数のデータ系列を読取るように行われる。さらには、検出器Ｈが固定で、データ記録媒体Ｃのデータ系列Ｄの記録位置が所定位置に設定されていて、その設定された特定のデータ系列を読取れるように行われる場合もある。
【００１３】
読取装置Ｒは、検出器Ｈが読取った信号を処理するものであって、周知の処理装置と同様に、検出器Ｈが読取った読取信号をアナログ的に増幅や波形処理等の処理を行うアナログ処理が含まれている。さらに、この読取装置Ｒには、読取られたアナログ信号をデジタル信号に変換するとともに、検出器Ｈとデータ系列Ｄとの位置決定を行うＣＰＵが含まれている。
【００１４】
図２（ａ）は、データ記録媒体Ｃの各データ系列Ｄ１  〜Ｄ４  に記録されているデータを検出器Ｈを介して読取り、その読取った信号を処理して得られたときのデジタルデータの一例である。すなわち、このデータ記録媒体Ｃの各データ系列Ｄ１  〜Ｄ４  には、この図２（ａ）に示される書込データ系列（以下、この書込データ系列も含めて「データ系列」という）が予め記録されていることを意味している。
【００１５】
各データ系列Ｄ１  〜Ｄ４  は、以下の規則の下に記録されている。
（１）隣接する各データ系列Ｄ１  〜Ｄ４  の各ビットは、同期して形成されている。
（２）隣接する各データ系列Ｄ１  〜Ｄ４  の間隔は、情報距離（ハミング距離）が所定範囲となるように形成されている。
（３）２つのデータ系列間（例えば、データ系列Ｄ１  とＤ２  の間）に検出器Ｈが位置したとき、両データ系列のデータの異なっている部分のビットが正確に読取られないが、両データ系列間にまたがっていることが検出できるように形成されている。すなわち、少なくともどちらかのデータ系列であることを認識できるように（上述の例では、データ系列Ｄ１  かＤ２  かを認識できるように）形成されている。
（４）２つのデータ系列間に検出器Ｈが位置して読取られたデータ系列、すなわち、読取り不正確なビットが任意の値（後述する図２（ｃ）の××の値）を取っても、他のデータ系列に同じパターンがないように形成されている。
【００１６】
上記図２（ａ）及び後述の図３（ａ）に示されるデータ系列の例は、上述の４つの条件を満足している一例である。
【００１７】
さて、データ記録媒体Ｃに図２（ａ）に示される４つのデータ系列Ｄ１  〜Ｄ４  が予め記録されている場合、そのデータ記録媒体Ｃがカード処理機に挿入されて検出器Ｈを介して読取られたとする。
【００１８】
読取られたデータが図２（ａ）に示すデータ系列Ｄ１  〜Ｄ４  のうちのいずれか一つに該当するときは、検出器Ｈは、その該当するデータ系列に正確に一致しているので、検出器Ｈと所定の目的とするデータ系列とが一致していると判定され、検出器Ｈとデータ記録媒体との相対位置が決定される。
【００１９】
ところが、読取られたデータが図２（ｂ）に示される読取データ系列ｄ１  、あるいは読取データ系列ｄ２  のように、各データ系列Ｄ１  〜Ｄ４  のいずれにも一致しないデータ系列が読取られる場合がある。この図２（ｂ）のうち、読取データ系列ｄ１  は、検出器Ｈがデータ記録媒体Ｃのデータ系列Ｄ１  ，Ｄ２  間に位置して読取られたときのものであり、また、読取データ系列ｄ２  は、検出器Ｈがデータ記録媒体Ｃのデータ系列Ｄ２  ，Ｄ３  間に位置して読取られたときのものである。
【００２０】
すなわち、検出器Ｈがデータ系列間の中間に位置したときの読取データは、図２（ａ）の鎖線で囲まれる部分のデータがデータ系列Ｄ１  〜Ｄ４  と一致しない値となって読取られることを示している。
【００２１】
図２（ｃ）は、読取装置Ｒの図示しないメモリに予め記憶されている判定用基準データ系列である。このうち、判定用基準データ系列Ｓ１  は、検出器Ｈがデータ記録媒体Ｃのデータ系列Ｄ１  に位置したときを検出するものであり、判定用基準データ系列Ｓ１２は、検出器Ｈがデータ記録媒体Ｃのデータ系列Ｄ１  ，Ｄ２  間に位置したときを検出するためのものである。以下同様に、判定用基準データ系列Ｓ２  は、検出器Ｈがデータ記録媒体Ｃのデータ系列Ｄ２  に位置したときを検出するものであり、判定用基準データ系列Ｓ２３は、検出器Ｈがデータ記録媒体Ｃのデータ系列Ｄ２  ，Ｄ３  間に位置したときを検出するためのものである。
【００２２】
したがって、読取データ系列と判定用基準データ系列とを比較することにより、検出器Ｈが目的とするデータ系列に位置しているか、又は外れていることを容易に検出することができる。
【００２３】
例えば、検出器Ｈがデータ記録媒体Ｃのデータ系列Ｄ１  を読取るように設定されているにもかかわらず、図２（ｂ）の読取データ系列ｄ１  が読取られたとき、検出器Ｈは、データ記録媒体Ｃのデータ系列Ｄ１  ，Ｄ２  間に位置していると位置決定される。なお、このように、検出器Ｈとデータ記録媒体Ｃのデータ系列との位置決定ができれば、読取られたデータを所定の目的とするデータ系列のデータに補正することが可能となる。
【００２４】
図３（ａ）は、データ記録媒体Ｃに２ビットずつのグレイコード式に８個のデータ系列Ｄ１  〜Ｄ８  が記録された場合の例である。そして、同図（ｂ）は、このように記録されているデータ系列Ｄ１  〜Ｄ８  のうち、検出器Ｈがデータ系列Ｄ１  ，Ｄ２  間に位置して読取られた場合の読取データ系列ｄが示されている。
【００２５】
このような場合も、上述と同様にして、同図（ｃ）に示される判定用基準データ系列を用いて検出器Ｈとデータ記録媒体Ｃとのデータ系列の位置決定を行うことができる。
【００２６】
図４は、検出器Ｈとデータ記録媒体Ｃのデータ系列の位置決定をアナログ的に行う例を示している。
【００２７】
ここでは、データ記録媒体Ｃに、図４（ａ）に示されるように、３個のデータ系列Ｄ１  〜Ｄ３  が記録されている。そして、検出器Ｈがデータ系列Ｄ２  ，Ｄ３  に位置したとき、検出器Ｈの出力波形は、図４（ｂ）に示されるような読取パターンｒが得られることを示している。すなわち、図４（ａ）の鎖線で囲まれる部分の波形は、図４（ｂ）のイに示されるように波形の立上り、立下りが小さく表れる。
【００２８】
したがって、各データ系列Ｄ１  〜Ｄ３  の中間に検出器Ｈが位置したときの読取パターンを予め記憶しておくことにより、検出器Ｈとデータ系列Ｄ１  〜Ｄ３  との位置を決定することができる。
【００２９】
なお、上述の例は、データ記録媒体Ｃに記録されているデータ系列は、磁気データの例を示したが、データ系列はバーコードであってもよい。この場合は、検出器としてバーコードスキャナが用いられる。
【００３０】
また、上述の例は、データ記録媒体としてカード状の例を示したが、フロッピーディスクのような回転する円板状のものであって、この場合、データ系列は半径方向に沿って記録される。
【００３１】
さらに、上述のデータ記録媒体Ｃは、トラック全体を複数のデータ系列Ｄとしたが、図５に示されるデータ記録媒体Ｃ′のように、トラックの後半部分を各データ系列Ｄ１  〜Ｄ４  に共通の所定のデータの記録されているデータ記録部Ｄ′とするようにしてもよい。
【００３２】
【発明の効果】
本発明の請求項１に係るデータ記録媒体は、データ記録媒体の搬送方向に沿って互いに所定の間隔を保ってそれぞれ異なるデータが記録されている、そのデータ記録媒体を管理するための複数個のデータ系列を有するデータ記録媒体であって、前記複数個のデータ系列の宇の２つのデータ系列間を読取ったときのデータ系列は、それら複数のデータ系列のデータ、及び他のデータ系列の間を読取ったときのデータと異なるので、データ記録媒体の管理の質向上を図ることができる。
【００３３】
本発明の請求項２に係るデータ記録媒体処理装置は、データ記録媒体の搬送方向に沿って互いに所定の間隔を保ってそれぞれ異なるデータが記録されている、そのデータ記録媒体を管理するための複数個のデータ系列と、それらデータ系列を読取るための検出器との位置関係を決定するデータ位置決定手段を備えたデータ記録媒体処理装置であって、前記検出器が前記複数個の各データ系列にそれぞれ位置したときに読取られたデータ、及びそれら複数個のデータ系列のうち、２つのデータ系列間にまたがって位置したときに読取られたデータを予め記憶してある記憶手段と、前記検出器を介して読取られたデータと前記記憶手段に記憶されているデータとを比較する比較手段と、比較された両データの一致状態により、前記検出器の位置は、所定の目的とするデータ系列、又はその所定の目的とするデータ系列及びその目的とするデータ系列に隣接する中間に位置していると決定する決定制御手段とからなるので、読取器とデータ系列の位置を正確に決定することができる。
【図面の簡単な説明】
【図１】本発明の一実施の形態に係るデータ記録媒体処理装置の概略構成図である。
【図２】書込データ系列、読取データ系列及び判定用基準データ系列の具体例である。
【図３】書込データ系列、読取データ系列及び判定用基準データ系列の他の具体例である。
【図４】書込パターン及び読取パターンの具体例である。
【図５】データ記録媒体の他の例を示す正面図である。
【符号の説明】
Ｃ  データ記録媒体
Ｄ，Ｄ１  〜Ｄ８    データ系列
Ｄ′  データ記録部
Ｈ  検出器
Ｒ  読取装置
【図１】
0003599941.tif 000002
【図２】
0003599941.tif 000003
【図３】
0003599941.tif 000004
【図４】
0003599941.tif 000005
【図５】
0003599941.tif 000006